(57)【要約】  本発明は、ブラシ部分（２）と、グリップ部分に歯間ブラシ（１）を解離可能に固定するためのシャフト（３）とを含む歯間ブラシ（１）であって、このときブラシ部分（２）は、剛毛ホルダ（４）と、剛毛ホルダ（４）に固定された剛毛（５）とを含んでいる、歯間ブラシ（１）に関する。このとき剛毛ホルダ（４）は第１の端部（７）を有していて、該第１の端部（７）において剛毛ホルダ（４）は、シャフト（３）内において固定されており、かつシャフト（３）は２つの部分から製造されている。さらに本発明は、歯間ブラシ（１）を備えた詰め合わせ、および歯間ブラシ（１）を製造するための方法に関する。
2020531154.tif 000002
【特許請求の範囲】
【請求項１】
ブラシ部分（２）と、グリップ部分に歯間ブラシを解離可能に固定するためのシャフト（３）とを含む歯間ブラシ（１）であって、前記ブラシ部分（２）は、剛毛ホルダ（４）と、前記剛毛ホルダ（４）に固定された剛毛（５）とを含んでおり、かつ前記剛毛ホルダ（４）は第１の端部（７）を有していて、該第１の端部（７）において前記剛毛ホルダ（４）は、前記シャフト（３）内において固定されている、歯間ブラシ（１）において、
前記シャフト（３）は２つの部分から製造されている
ことを特徴とする、歯間ブラシ（１）。
【請求項２】
前記シャフト（３）は、異なった２つの材料を含んでいる、
請求項１記載の歯間ブラシ（１）。
【請求項３】
前記シャフト（３）は、移行部分（８）と固定部分（９）とを含んでおり、前記剛毛ホルダ（４）の前記第１の端部（７）は、前記固定部分（９）内において固定されている、
請求項１または２記載の歯間ブラシ（１）。
【請求項４】
前記剛毛ホルダ（４）は剛毛領域（６）を有しており、前記移行部分（８）は、前記剛毛ホルダ（４）の、前記固定された第１の端部（７）と前記剛毛領域（６）との間に配置されている、
請求項３記載の歯間ブラシ（１）。
【請求項５】
前記移行部分（８）は、前記２つの材料のうちの第１の材料を含んでいて、かつ前記固定部分（９）は、前記２つの材料のうちの第２の材料を含んでいる、
請求項２および３記載の歯間ブラシ（１）。
【請求項６】
前記第２の材料は、前記第１の材料よりも大きな曲げ強さを有している、
請求項５記載の歯間ブラシ（１）。
【請求項７】
前記移行部分（８）は、前記移行部分（８）の第１の側から前記移行部分（８）の第２の側に延びている開口（１０）を有しており、かつ前記剛毛ホルダ（４）の１つの領域が、前記開口内に位置している、
請求項３から６までのいずれか１項記載の歯間ブラシ（１）。
【請求項８】
前記開口（１０）は、前記移行部分（８）の前記第１の側に斜面（１４）を有している、
請求項７記載の歯間ブラシ（１）。
【請求項９】
前記開口（１０）の内寸は、前記剛毛ホルダ（４）の、前記開口（１０）内に位置している領域の外寸よりも大きく、これによって前記剛毛ホルダ（４）は前記開口（１０）内において可動である、
請求項７または８記載の歯間ブラシ（１）。
【請求項１０】
前記移行部分（８）と前記固定部分（９）とは、一体に形成されている、
請求項３から９までのいずれか１項記載の歯間ブラシ（１）。
【請求項１１】
前記固定部分（９）は、前記グリップ部分における当該歯間ブラシ（１）の解離可能な固定のためにロック要素（１１）を含んでいる、
請求項３から１０までのいずれか１項記載の歯間ブラシ（１）。
【請求項１２】
前記剛毛ホルダ（４）は、撚られたワイヤから製造されている、
請求項１から１１までのいずれか１項記載の歯間ブラシ（１）。
【請求項１３】
前記剛毛ホルダ（４）は、前記第１の端部（７）に湾曲形状の成形部を有している、
請求項１から１２までのいずれか１項記載の歯間ブラシ（１）。
【請求項１４】
前記剛毛ホルダ（４）は、前記剛毛（５）と前記第１の端部（７）との間に剛毛のない部分を有しており、これによって前記剛毛（５）と前記移行部分（８）との間に間隔が存在している、
請求項３から１３までのいずれか１項記載の歯間ブラシ（１）。
【請求項１５】
請求項１から１４までのいずれか１項記載の、少なくとも２つの歯間ブラシ（１）を備えた詰め合わせであって、前記少なくとも２つの歯間ブラシ（１）のそれぞれの歯間ブラシが、シャフト（３）に個々の特徴を備えている
ことを特徴とする、詰め合わせ。
【請求項１６】
前記シャフト（３）の２つの部分のそれぞれの部分が、コードを形成している、
請求項１５記載の詰め合わせ。
【請求項１７】
歯間ブラシ（１）を製造するための方法であって、以下のステップ、すなわち：
ａ）剛毛ホルダ（４）と、前記剛毛ホルダ（４）に固定された剛毛（５）とを含むブラシ部分（２）を準備するステップと、
ｂ）第１のプラスチック製の移行部分（８）を準備するステップであって、前記移行部分（８）は、前記移行部分（８）の第１の側から前記移行部分（８）の第２の側に延びている開口（１０）を有している、ステップと、
ｃ）前記剛毛ホルダ（４）の第１の端部（７）を、前記移行部分（８）の前記第１の側から、前記第１の端部（７）の領域が前記移行部分（８）の前記第２の側において突出するまで、前記開口（１０）を通して押し込むステップと、
ｄ）前記移行部分（８）の前記第２の側に固定部分（９）を取り付け、これによって前記剛毛ホルダ（４）の前記第１の端部（７）の、突出している前記領域を、前記固定部分（９）内において固定し、かつ前記固定部分（９）を前記移行部分（８）に固定する、ステップと、
を含んでいる、歯間ブラシ（１）を製造するための方法。
【請求項１８】
前記開口（１０）を通した前記剛毛ホルダ（４）の前記第１の端部（７）の押込み後に、前記第１の端部（７）を変形させる、
請求項１７記載の方法。
【発明の詳細な説明】
【技術分野】
【０００１】
本発明は、ブラシ部分と、グリップ部分に歯間ブラシを解離可能に固定するためのシャフトとを含む歯間ブラシであって、このときブラシ部分は、剛毛ホルダと、剛毛ホルダに固定された剛毛とを含んでおり、かつこのとき剛毛ホルダは第１の端部を有していて、該第１の端部において剛毛ホルダは、シャフト内において固定されている、歯間ブラシに関する。さらに本発明は、歯間ブラシを製造するための方法に関する。
【０００２】
従来の技術
包括的な歯の手入れには、歯自体のクリーニングのみならず、歯間室のクリーニングも含まれる。歯間室には、カリエス、プラーク、および炎症を発症させるおそれがあるバクテリアが形成されることがある。しかしながら歯間室は、歯ブラシによっては単に不十分にしかクリーニングすることができない。したがって歯間室のクリーニングのためには、いわゆる歯間ブラシが使用される。歯間ブラシは、通常、繊細な剛毛を備えたブラシヘッドを有しており、このブラシヘッドは、歯ブラシに比べてかなり小さく、この結果ブラシヘッドを歯の間に導入することができる。このとき繊細な剛毛は、しばしば撚られたワイヤの形態で形成されている剛毛ホルダに固定されている。剛毛ホルダは、一端において通常、歯間ブラシのプラスチック製のシャフトの射出成形によりシャフト内に埋め込まれているか、または挿入されている。シャフト自体は、公知の形式でグリップ部分に収容されている。グリップ部分は、使用者が手によって良好に保持することができ、かつこのようにして歯間ブラシの良好な取扱いを可能にする。
【０００３】
歯間ブラシの使用中に、ブラシヘッドには大きな荷重が加えられ、かつブラシヘッドはしばしば、弾性的にまたは塑性的に曲げられる。ブラシ部分が歯間ブラシのシャフトから引き抜けたり、またはブラシ部分がシャフトにおいて回転したりし得ることを回避するために、ブラシ部分の、シャフト内に埋め込まれた端部は、しばしば成形部を有しており、この結果固定された端部を、シャフト内において比較的良好に保持することができる。
【０００４】
例えば特開２００８−１５４９０１号明細書（ライオン株式会社）に開示された歯間ブラシでは、撚られたワイヤ製のブラシホルダの固定された端部分は、端部分を歯間ブラシのプラスチックシャフト内において確実に固定できるようにするために、湾曲形状の、方形の、半円形の、または三角形の成形部を有している。
【０００５】
独国特許出願公開第１０３５４７７４号明細書（Zahoransky）に開示された歯間ブラシでは、ブラシ部分はハンドグリップに解離不能に固定されている。ハンドグリップは、切欠きを備えたハンドグリップベース体と、この切欠き内に埋め込まれるように射出成形されたグリップ部分とを含んでいる。まずハンドグリップベース体が射出成形によって製造され、この結果シャフトの剛毛のない端部の真ん中の部分が、ハンドグリップベース体内に埋め込まれる。第２の射出成形工程によって、シャフトの折り曲げられた端部がグリップ部分内に埋め込まれる。グリップ部分は、ベース体に比べて幾分軟質のゴム状の材料から成っており、この結果比較的良好な手触りが得られる。
【０００６】
一体に組み込まれたハンドグリップを備えたこのような歯間ブラシは、製造コストが高い。それというのは、グリップ部分を第２の製造ステップにおいてベース体内に射出成形しなくてはならないからである。さらに、ブラシ部分における剛毛が摩耗した場合には、ハンドグリップを備えた歯間ブラシ全体を交換する必要がある。このことは高コストであり、かつ廃棄物を多く出すことになる。
【０００７】
しかしながらまた、歯間ブラシをグリップ部分に解離可能に結合することができるシステムも公知である。歯間ブラシを交換することが必要な場合に、歯間ブラシをグリップ部分から分離させ、新しい歯間ブラシをグリップ部分に挿入することができる。
【０００８】
グリップ部分と交換可能な歯間ブラシとを備えたこのようなシステムは、例えば独国特許出願公開第１０２００５０４７３４０号明細書（Braun GmbH）に開示されている。歯間ブラシは、そのシャフトにおいてシャフトの、ブラシとは反対側の自由端部に、シャフトの長手方向に延びる溝を有している。歯間ブラシがグリップ部分の開口内に導入されると、溝の間における壁部分が、グリップ部分の開口の内壁とのクランプ部を形成する。これによって歯間ブラシは、グリップ部分において保持され、かつ必要な場合に交換のためにグリップ部分から解離することができる。
【０００９】
交換可能な歯間ブラシの別の構成が、国際公開第１９８６／０２５３２号（Curaden）に開示されている。この歯間ブラシはブラシ部分を含んでいて、このブラシ部分は、撚られたワイヤループから形成されていて剛毛を備えたブラシ保持体と、剛毛のない端部分とを有している。端部分は、プラスチック製の歯間ブラシの円筒形のシャフトの射出成形によりシャフト内に埋め込まれている。シャフトの自由端部には、２つのアームを備えていてストッパを形成するトラバースが形成されている。歯間ブラシは、トラバースが、グリップ部分に形成された溝内に導入され、グリップ部分のねじ山付スリーブがトラバースの方向にねじ込まれることによってグリップ部分に取り付けることができ、このときねじ込みは、ねじ山付スリーブがトラバースのアームに乗り上げ、かつこのアームが、ねじ山付スリーブと、グリップ部分の溝の底部との間においてしっかりとクランプされるまで行われる。
【００１０】
剛毛ホルダの端部分における成形部によって、グリップ部分内において解離可能に固定可能である歯間ブラシにおいても、剛毛ホルダをシャフト内において確実に保持することができる。しかしながらこのような公知の歯間ブラシは、剛毛ホルダとシャフトとの間における結合に関して幾つかの欠点を有している。
【００１１】
剛毛ホルダは、歯間ブラシの使用中にしばしば弾性的に、またはそれどころか塑性的に曲がるので、剛毛ホルダの材料には、部分的に極めて強い荷重が加えられる。それに加えて、剛毛ホルダの屈曲が、主として１つの箇所、つまり剛毛ホルダがシャフトから進出している箇所において生じるという問題が生じる。これによってこの進出箇所において、しばしば材料疲労が発生し、このことは、剛毛ホルダの破損を惹起するおそれがある。
【００１２】
剛毛ホルダの折れ曲がりまたは破損のおそれを回避するために、国際公開第１９８６／０２５３２号（Curaden）には、剛毛ホルダの端部分を収容するための、特殊に成形された孔を備えたシャフトが開示されている。硬質プラスチック製のシャフトは、円錐形にまたは双曲面状に出口に向かって広がる前側部分を含んでいる。剛毛ホルダの端部分の後ろ側部分は、孔の後ろ側部分内において不動に固定されている。剛毛ホルダの端部分の前側部分は、剛毛の方向において増大する遊びをもって、孔の、徐々に広がる部分内において可撓性に支持されている。これによって端部分の前側部分は、孔部分内において弾性的に曲がることができ、このとき孔部分の壁は、剛毛ホルダの弾性限界を越える屈曲を阻止する。
【００１３】
シャフト内における孔の最適化されたこの形状にもかかわらず、剛毛ホルダには、進出箇所において強い荷重が加えられ、剛毛ホルダは、損傷を受けること、またはそれどころか破損することがある。さらに、円錐形の出口を備えた上に記載された孔は、高い製造コストを必要とする。
【００１４】
本発明の説明
本発明の課題は、冒頭に述べた技術分野に属する歯間ブラシを改良して、シャフト内における剛毛ホルダの改善された収容部を有していて、しかもこのときシャフトを簡単に製造することができる歯間ブラシを提供することである。
【００１５】
この課題は、請求項１記載の特徴によって定義付けられている。本発明によれば、シャフトは２つの部分から製造されている。
【００１６】
これによって簡単な形式で、歯間ブラシのシャフトを、シャフトが領域毎に異なった特性を有するように構成することが可能である。このようにして例えば、第１の部分が別の形状を有することができ、かつシャフトの第２の部分とは別の製造方法で製造されることができる。これによって、シャフトの個々の領域に対する異なった要求を比較的良好に満たすことができる。
【００１７】
このようにして例えばシャフトの、剛毛ホルダがシャフトから進出している領域を、極めて正確に成形されていてかつ剛毛ホルダを正確に案内する第１の部分によって形成することができ、この結果剛毛ホルダは、使用時に破損することなく曲がることができる。これに対して例えばシャフトの下側の端部領域は、第２の部分から成っていてよく、この第２の部分は、さほど正確に製造される必要はなく、単に、剛毛ホルダの第１の端部を不動に固定するためにだけ働く。相応に第２の部分を、比較的単純な工具によって安価に製造することができる。このようにして第２の部分を例えば、打抜きによって、または簡単な射出成形法によって製造することができる。これによってシャフトのそれぞれの部分のために、最も効果的でかつ最も安価な製造方法を選択することができる。これによりシャフトを最適に構成することができる。
【００１８】
「歯間ブラシ」という概念は、本明細書の記載では、人または動物の歯の歯間室をクリーニングするために適したブラシを意味している。このとき歯間ブラシの使用のためにはグリップ部分が必要であり、このグリップ部分に歯間ブラシは、例えばクランプまたはねじ結合を用いて解離可能に固定することができる。グリップ部分は、歯間ブラシを良好に取り扱うことができるようにするために、ひいては歯の間において正確に位置決めし、かつ運動させることができるようにするために働く。したがって歯間ブラシを手によって把持することができるグリップ部分は、歯間ブラシの「シャフト」という概念とは区別されねばならない。シャフトは、剛毛ホルダを固定するために、かつ歯間ブラシをグリップ部分に解離可能に結合するために働く。
【００１９】
「固定する」という概念は、解離不能な結合を意味している。したがって例えば剛毛ホルダの第１の端部は、シャフト内に接着されていても、埋め込まれていても、またはクランプされていてもよい。ゆえに例えば差込み結合またはねじ結合、またはバヨネット継手のような解離可能な結合は、「固定する」という概念には当て嵌まらない。
【００２０】
本発明によれば、シャフトは２つの部分から製造されている。これによって好ましくは、シャフトは２部分から形成されている。すなわちそれぞれの部分は、個々に製造可能であり、次いで、シャフトを製造するために他方の部分と結合することができる。このとき第１の部分と第２の部分とは、例えば差込み結合またはねじ結合を用いて解離可能に互いに結合されても、または例えば接着または接合によって解離不能に互いに結合されてもよい。第２の部分がプラスチックから成っている場合には、第２の部分を、例えばプラスチック射出成形を用いて第１の部分を覆うように射出成形することができ、または第２の部分を、超音波溶接、振動溶接（ＶＩＢ溶接）、オービタル溶接、ミラー溶接を用いて、または接着を用いて第１の部分に結合することができる。
【００２１】
第１の部分と第２の部分とは、同じ材料から成っていてもよいし、またはそれぞれ異なった材料から製造されていてもよい。
【００２２】
好ましくは、シャフトは、シャフトの長手方向において第１の部分と第２の部分とに分割されている。すなわちシャフトの両部分は、シャフトの長手方向において相前後して配置されている。しかしながらこのことは、シャフトの第１の部分および／または第２の部分の個々の領域または要素が、長手方向においてそれぞれ他方の部分内に進入していることを排除するものではない。したがって第１の部分は例えば、長手方向においてシャフトの第２の部分内に進入する張出し部、舌片、または羽根を含んでいてよい。
【００２３】
好ましくは、シャフトの第１の部分が張出し部を含んでおり、この張出し部は、第１の部分の長手方向において第１の部分から突出していて、かつシャフトの第２の部分における相応の切欠き内に収容される。これによってシャフトの第１の部分と第２の部分との間における接触面を増大させることができる。このことは、両部分の間における安定的でかつ確実な結合を可能にする。
【００２４】
好ましくは、シャフトは、異なった２つの材料を含んでいる。これによってシャフトの個々の領域を、それぞれの要求に特に良好に適合させることができる。好ましくは、シャフトの第１の部分は第１の材料から製造されていて、かつシャフトの第２の部分は第２の材料から製造されている。このことは、異なった機械的な特性および異なった色を有する材料の使用を可能にする。さらに両部分を、異なった製造方法によって製造することが可能である。
【００２５】
このようにして例えば、シャフトの、剛毛ホルダがシャフトから進出している部分を、シャフトの自由端部の領域における、グリップ部分内において収容されるように形成されている第２の部分よりも、可撓性のまたは弾性の材料から製造することができる。そのとき第２の部分は、例えば耐摩耗性の硬質の材料から成っていてよい。シャフトからの剛毛ホルダの進出領域における、第１の部分の可撓性のまたは弾性の材料によって、剛毛ホルダが曲げられる場合に、シャフトの第１の部分は撓むことができ、かつそれにもかかわらず剛毛ホルダを良好に支持することができ、この結果進出領域における剛毛ホルダの弾性限界を超える屈曲を回避することができる。これによって剛毛ホルダの破損を阻止することができる。これに対してシャフトの自由端部の領域における第２の部分は、硬質の材料によって耐摩耗性であり、これによって損傷することなしにグリップ部分に結合することができる。さらに硬質の材料によって、シャフトとグリップ部分との間における安定的な結合を可能にすることができる。しかしながらまた材料の選択は、例えばまさに逆に行うことも可能であり、かつ軟質のまたは弾性の材料を、シャフトの自由端部の領域における第２の部分のために使用することが可能であり、このようにすると、歯間ブラシとグリップ部分との間における弾性的な結合を可能にすることができる。
【００２６】
異なった材料によって、シャフトの自由端部の領域における剛毛ホルダの固定のために、剛毛ホルダの第１の端部のそれぞれの形状に特に良好に適合させることができる材料を選択することができ、この結果剛毛ホルダはシャフト内において確実に保持される。シャフトにおける固定のための、剛毛ホルダの第１の端部は、例えば半円形に、Ｖ字形に、ジグザグに、または曲げられて形成されていてよい。
【００２７】
これによって歯間ブラシの、２つの材料から成るシャフトを、特に良好に要求に適合させることができる。さらにシャフトにおける異なった材料によって、領域を、シャフトの領域のそれぞれの形状のために最も適した材料で製造することができる。このようにして例えばシャフトの上側の領域を特殊プラスチックから製造することができ、これによってプラスチック射出成形によって進出開口の特に正確な形状付与を可能にすることができる。これに対してシャフトの下側の領域は、例えば安価な材料から製造することができる。それというのは、ここではあまり正確な形状付与を必要としないからである。このことは、効果的でかつ安価な製造を可能にする。
【００２８】
しかしながらまたシャフトは、３つ、４つ、またはそれ以上の異なった材料を含んでいてよい。このとき「異なった」という概念は、材料の特性に関するものであり、かつ例えば材料の上位の名称に関するものではない。すなわち第１の硬度を有する第１のプラスチックと第２の硬度を有する第２のプラスチックとは、両者が「プラスチック」という概念の範疇に含まれているにもかかわらず、本明細書の記載では「異なった２つの材料」と見なされる。しかしながらまたシャフトは、例えばプラスチックと金属とを含んでいてよい。さらに異なった色を有する材料も本明細書の記載では、このような材料が色以外では同じ特性を有しているとしても、異なった２つの材料と見なされる。このようにして例えば青いプラスチックはこの定義によれば、赤いプラスチックとは別の材料である。
【００２９】
シャフトは、好ましくは移行部分と固定部分とを含んでおり、このとき剛毛ホルダの第１の端部は、固定部分内において固定されている。移行部分および固定部分は、任意の形状を有していてよい。このようにして移行部分および固定部分は、例えばそれぞれ円筒形に、球形に、または直方体形状に形成されていてよい。移行部分および固定部分は、さらに差込み結合を介して互いに解離可能に結合されていても、または互いに解離不能に結合されていてもよい。
【００３０】
好ましくは、移行部分はシャフトの第１の部分に、かつ固定部分は第２の部分に相当している。シャフトが移行部分と固定部分とを含んでいることによって、シャフトの機能は第１の部分と第２の部分とに分割されている。このことは、単純な構成および簡単な製造を可能にする。このようにして例えば固定部分を、剛毛ホルダの第１の端部の最適な固定に関して構成することができ、これに対して移行部分を、例えば剛毛ホルダの最適な支持に関して構成することができる。
【００３１】
好ましくは、移行部分と固定部分とは互いに注型成形されており、この結果移行部分と固定部分とは、互いに不動にかつ解離不能に結合されている。これによってシャフトは安定的である。
【００３２】
それとは択一的に、シャフトが移行部分および固定部分を有しておらず、剛毛ホルダの第１の端部がシャフトの両部分に固定されていることも可能である。
【００３３】
好ましくは、固定部分は、固定部分の長手方向において移行部分に向かって突出している２つの羽根を有している。好ましくは、移行部分は、固定部分の羽根を収容するために２つの切欠きを有している。
【００３４】
羽根によって、移行部分と固定部分との間における接触面が増大させられる。このことは、移行部分と固定部分との間における特に強い結合を可能にする。固定部分が移行部分を覆うように射出成形される場合には、増大させられた接触面によって、移行部分と固定部分との間における特に安定的な結合を達成することができる。
【００３５】
好ましくは、剛毛ホルダは剛毛領域を有しており、このとき移行部分は、剛毛ホルダの、固定された第１の端部と剛毛領域との間に配置されている。これによって剛毛ホルダを、その剛毛領域と第１の端部との間の領域において、最適な形式で移行部分によって案内し、かつ支持することができる。このようにして剛毛ホルダを例えば、剛毛ホルダが歯のクリーニング時に曲げられる場合に、剛毛ホルダによって支持することができる。これによって、剛毛ホルダが固定部分内に進入する移行箇所における剛毛ホルダに対する荷重を減じることができる。これによって剛毛ホルダに対する荷重を減じることができ、かつ剛毛ホルダの破損または座屈のおそれを回避することができる。
【００３６】
移行部分は、任意の形状を有することができる。移行部分は、例えば剛毛ホルダの側部においてそばに配置されていてよく、または移行部分は、剛毛ホルダを取り囲んでいてもよい。
【００３７】
好ましくは、移行部分は、２つの材料のうちの第１の材料を含んでいて、かつ固定部分は、２つの材料のうちの第２の材料を含んでいる。
【００３８】
これによって移行部分のために、剛毛ホルダを案内するために最適な材料を選択することができ、これに対して固定部分のためには、剛毛ホルダの第１の端部の特に安定的な固定を可能にする材料を選択することができるので、シャフトを特に好適に構成することができる。このようにして、上において既に記載されたように、剛毛ホルダを変形時においても案内しかつ支持することができるようにするために、例えば移行部分は弾性材料から成っていてよい。
【００３９】
移行部分は場合によっては歯間クリーニング時に歯および／または歯肉と接触するので、歯または歯肉が傷付くおそれを減じるために、移行部分を比較的軟質の材料から構成することができる。これに対して固定部分のためには、剛毛ホルダの第１の端部を安定的にかつ不動に固定部分内において固定できるようにするために、剛性のまたは硬質の材料を選択することができる。
【００４０】
択一的に、移行部分および固定部分を第１の材料から製造することも可能であり、かつ第３の部分、例えば結合部分を、シャフトをグリップ部分に結合するために、第２の材料から製造することも可能である。
【００４１】
好ましくは、第２の材料は、第１の材料よりも大きな曲げ強さを有している。
【００４２】
例えば固定部分が、移行部分の材料よりも大きな曲げ強さを有している場合には、剛毛ホルダの第１の端部を、剛性の材料によって特に安定的にかつ不動に固定部分内において固定することができ、これに対してあまり剛性ではない移行部分によって、剛毛ホルダの特に良好な案内および支持を達成することができる。それというのは、移行部分は剛毛ホルダと一緒に容易に弾性変形することができるからである。
【００４３】
したがって好ましくは、固定部分は、移行部分の材料よりも大きな曲げ強さを有している材料を含んでいる。
【００４４】
択一的に、異なった両材料は、等しい曲げ強さを有していてもよい。
【００４５】
好ましくは、第１の材料はプラスチックである。好ましくは、第２の材料はプラスチックである。プラスチックは、簡単に使用することができ、かつプラスチック射出成形によって移行部分および／または固定部分を製造するために良好に適している。これによって移行部分および固定部分を、大量の個数で安価に製造することができる。
【００４６】
択一的に、移行部分と固定部分とは、例えばセラミックスまたは金属のような別の生体適合性の材料から製造されていてもよい。
【００４７】
好ましくは、移行部分は、移行部分の第１の側から移行部分の第２の側に延びている開口を有しており、かつこのとき剛毛ホルダの１つの領域が、開口内に位置している。これによって剛毛ホルダは、移行部分によって移行部の領域において全面的に取り囲まれる。これにより移行部分による剛毛ホルダの最適な案内および支持が可能である。好ましくは、開口は孔として形成されていて、かつ真円形の横断面を有している。別の構成では、開口はまた、方形の、三角形の、または多角形の横断面を有していてもよい。
【００４８】
それとは択一的に、移行部分は単に剛毛ホルダの一方の側にだけ配置されていて、かつ開口を含んでいないことも可能である。
【００４９】
好ましくは、開口は、移行部分の第１の側に斜面を有している。すなわち開口は、移行部分の第１の側に向かって徐々に広がるように構成されている。これによって開口内に位置している剛毛ホルダは、移行部分の第１の側に向かう方向において開口内において益々大きく運動し、かつ曲がることができる。これにより均一な曲げ荷重が得られ、これによって、移行部分の第１の側における開口の進出部における剛毛ホルダの、さもないと発生する座屈および破損のおそれを減じることができる。好ましくは、斜面は、開口の長手方向軸線と斜面の面との間において測定された、３０°未満の角度を有している。これによって剛毛ホルダの特に良好な案内および支持が可能である。
【００５０】
開口が真円形の横断面を有している場合に、開口は、好ましくは移行部分の第１の側における開口の周囲に、環状の斜面を有している。開口が、方形の、三角形の、または多角形の横断面を有している場合には、開口は、好ましくは移行部分の第１の側における開口のそれぞれの縁部に斜面を有している。
【００５１】
択一的に、移行部分が斜面を有していないことも可能である。
【００５２】
好ましくは、開口の内寸は、剛毛ホルダの、開口内に位置している領域の外寸よりも大きく、これによって剛毛ホルダは開口内において可動である。このとき外寸は、剛毛ホルダの横断面に関係している。すなわち剛毛ホルダが、ほぼ真円形の横断面を有している場合には、外寸は剛毛ホルダの外径に相当している。内寸は、開口の２つの内壁の間における最小間隔に相当している。開口が真円形の横断面を有している場合には、内寸は開口の内径に相当している。
【００５３】
開口の内寸は剛毛ホルダの外寸よりも大きいので、剛毛ホルダは開口内において運動し、かつ容易に変形することができる。すなわち剛毛ホルダは、移行部分の開口内において幾分遊びをもって案内されている。これによって剛毛ホルダの座屈および破損のおそれを回避することができる。
【００５４】
択一的に、剛毛ホルダは移行部分の開口内において遊びなしに案内されている。
【００５５】
好ましくは、移行部分と固定部分とは、一体に形成されている。すなわち、好ましくは個々に製造可能である移行部分と固定部分とは、互いに一体に結合されている。これによってシャフトをコンパクトに構成することができる。好ましくは、移行部分と固定部分とは射出成形によって互いに結合可能であり、この結果移行部分と固定部分とは一体に形成されている。
【００５６】
択一的に、移行部分と固定部分とは一体に形成されておらず、例えば剛毛ホルダを用いてルーズにまとめられる２つの個々の部分から成っていてもよい。
【００５７】
好ましくは、固定部分は、グリップ部分における歯間ブラシの解離可能な固定のためにロック要素を含んでいる。ロック要素を用いてシャフトを、グリップ部分に簡単な形式で確実に固定することができる。このことは、歯間ブラシの取扱いを容易にする。好ましくは、ロック要素は、シャフトの長手方向軸線に対して直角に配置されている２つのアームを備えたトラバースの形態で形成されている。これによってグリップ部分との歯間ブラシのロックを、例えばバヨネット継手を用いて簡単に行うことができる。
【００５８】
それとは択一的に、固定部分がロック要素を有していないことも可能である。この場合には、シャフトを例えば簡単にグリップ部分における開口内に差し込むことができる。
【００５９】
好ましくは、剛毛ホルダは、撚られたワイヤから製造されている。これによって剛毛を剛毛ホルダに不動にかつ確実に保持することができ、このとき剛毛は、撚られたワイヤの螺条の間においてクランプされる。これにより剛毛ホルダの簡単かつ安価な製造が可能である。
【００６０】
択一的に、剛毛ホルダは、例えばプラスチックロッドから製造されていてよい。
【００６１】
好ましくは、剛毛ホルダは、第１の端部に湾曲形状の成形部を有している。これによって剛毛ホルダをシャフト内において特に確実に固定することができる。それというのは、剛毛ホルダは、剛毛ホルダの軸線方向においては固定部分から簡単に抜け出すことができない、または剛毛ホルダはその軸線を中心にして固定部分内において不所望に回転することができないからである。湾曲形状の成形部は、好ましくは半円形に形成されていて、かつ第１の端部の最も後ろ側の領域は、好ましくは再び真っ直ぐに形成されており、この結果成形部は、窪みまたはボスの形式で剛毛ホルダ内において形成されている。
【００６２】
好ましくは、剛毛ホルダは、剛毛と第１の端部との間に剛毛のない部分を有しており、これによって剛毛と移行部分との間に間隔が存在している。
【００６３】
剛毛のない部分において剛毛ホルダは、特に良好に弾性変形することができる。それというのは、この部分には、剛毛ホルダの運動を阻止する可能性がある剛毛が存在していないからである。これによって、剛毛ホルダの、使用時に必要な弾性変形が可能である。
【００６４】
択一的に、剛毛ホルダが、シャフト内において固定されていないその全長に沿って、剛毛を有していて、かつこれにより剛毛のない部分を有していないということも可能である。
【００６５】
本発明はさらに、上に記載されたような、少なくとも２つの歯間ブラシを備えた詰め合わせであって、このとき少なくとも２つの歯間ブラシのそれぞれの歯間ブラシが、シャフトに個々の特徴を含んでいる、詰め合わせに関する。
【００６６】
この特徴によって、１つの歯間ブラシを、他の歯間ブラシと区別することができる。「詰め合わせ」という概念は、互いに異なった特性を有する少なくとも２つの歯間ブラシのことを意味している。歯間ブラシは、例えば以下の特性、すなわち：
・剛毛の長さ
・剛毛の太さ
・剛毛の弾性
・剛毛の形状
・剛毛ホルダの弾性、または
・例えばクリックプラスチックホルダ、アルミニウムホルダのため、またはアングル部材のためのような、確定されたグリップ部分のための使用可能性
といった特性において異なっていることができる。
【００６７】
個々の特徴によって、詰め合わせにおける歯間ブラシを、使用者に対して視覚的に良好に特徴付けることができる。このことは、互いに異なった特徴を有する複数の歯間ブラシの取扱いを簡単にする。
【００６８】
個々の特徴付けは、例えばシャフトの形状、シャフトの部分の表面構造、剛毛の外輪郭、剛毛の色、またはシャフトの部分の色、シャフトの２つの部分の材料選択、またはシャフトの２つの部分相互の結合形式によって行うことができる。このようにして例えばシャフトは、歯間ブラシを特徴付けるために、方形の、三角形の、または円形の横断面を有することができる。
【００６９】
シャフトの２つの部分のそれぞれの部分が、コードを形成している。これによって簡単な個々の特徴付けが可能である。例えば第１の部分は、シャフトの第２の部分とは別の色を有しても、または第１の部分は、例えばシャフトの第２の部分とは別の材料から製造されていてもよい。さらにコード化は、レーザ彫刻、タンポ印刷、エンボス加工によって、または挿入プレートを用いて行うことも可能である。さらに例えばシャフトの第１の部分は方形の横断面を有していて、かつシャフトの第２の部分は円形の横断面を有していてよい。さらに部分毎の幾つかの要素で、両部分コードの組合せによって比較的多様の情報をコード化することができる。
【００７０】
択一的にまた、シャフトの個々の部分が、コードを有しておらず、ひいては互いに区別することができないような構成も可能である。
【００７１】
本発明はさらに、歯間ブラシを製造するための方法であって、以下のステップ、すなわち：
ａ）剛毛ホルダと、剛毛ホルダに固定された剛毛とを含むブラシ部分を準備するステップと、
ｂ）移行部分を準備するステップであって、このとき移行部分は、移行部分の第１の側から移行部分の第２の側に延びている開口を有している、ステップと、
ｃ）剛毛ホルダの第１の端部を、移行部分の第１の側から、第１の端部の領域が移行部分の第２の側において突出するまで、開口を通して押し込むステップと、
ｄ）移行部分の第２の側に固定部分を取り付け、これによって剛毛ホルダの第１の端部の、突出している領域を、固定部分内において固定し、かつ固定部分を移行部分に固定する、ステップと、
を含んでいる、歯間ブラシを製造するための方法に関する。
【００７２】
本発明に係る方法によって、歯間ブラシを効果的に製造することができる。固定部分は、例えば超音波溶接、振動溶接、オービタル溶接、ミラー溶接を用いて、または接着を用いて、移行部分の第２の側に取り付けることができる。さらに、固定部分を、移行部分の第２の側を覆うように射出成形によって移行部分の第２の側に取り付けるという可能性もある。
【００７３】
移行部分との固定部分の溶接によって、両部分の接着によって、または移行部分を覆うように行われる固定部分の射出成形によって、固定部分と移行部分とは互いに不動にかつ解離不能に結合されている。すなわち、移行部分と固定部分とを含むシャフトは、一体に形成されている。これによってシャフトのコンパクトな構造が可能である。
【００７４】
好ましくは、固定部分はプラスチック射出成形によって移行部分の第２の側を覆うように射出成形される。射出形成用のプラスチックは、簡単に使用可能であり、かつ様々な特性を含むことができる。これによって歯間ブラシのシャフトを、要求に最適に適合させることができる。さらに覆うように固定部分の射出成形によって、剛毛ホルダはその第１の端部で固定部分内において確実に保持されている。
【００７５】
好ましくは、開口を通した剛毛ホルダの第１の端部の押込み後に、第１の端部を変形させる。好ましくは、剛毛ホルダの第１の端部は湾曲形状に変形させられる。しかしながらまた第１の端部は、別の形式で、例えば方形の折曲げ部、ジグザグ形状を用いて、または屈曲によって変形させることも可能である。変形によって剛毛ホルダの第１の端部は、固定部分内において特に良好に固定させることができ、この結果剛毛ホルダは、固定部分から引き抜けなくなるか、または剛毛ホルダは、その長手方向軸線を中心にして固定部分内において回転できなくなる。
【００７６】
剛毛ホルダがワイヤ構造から成っている場合には、剛毛ホルダの第１の端部を、ワイヤの屈曲によって簡単な形式で湾曲形状に成形することができる。
【００７７】
それとは択一的に、第１の端部が変形されないという可能性もある。
【００７８】
以下の詳細な記載および請求項の全体から、本発明のさらなる好適な実施形態および特徴の組合せが得られる。
【図面の簡単な説明】
【００７９】
図面は、実施例を説明するために使用される。
【図１】本発明に係る歯間ブラシを概略的に示す断面図であって、このとき断面が歯間ブラシの長手方向軸線を通って延びる断面図である。
【図２】本発明に係る歯間ブラシの別の構成を概略的に示す側面図である。
【図３】歯間ブラシの移行部分を示す側面図である。
【図４】図３に示された移行部分を示す正面図である。
【図５】移行部分の別の構成を示す側面図である。
【図６】図５に示された移行部分を示す正面図である。
【図７】歯間ブラシのシャフトの別の構成を示す側面図である。
【図８】図５に示されたシャフトを示す平面図である。
【図９】歯間ブラシの詰め合わせを概略的に示す図である。
【図１０】歯間ブラシの詰め合わせの別の構成を示す図である。
【図１１】歯間ブラシの詰め合わせのさらに別の構成を示す図である。
【００８０】
基本的に図面において等しい部分には、等しい符号が付されている。
【００８１】
本発明の実施の形態
図１には、本発明に係る歯間ブラシ１が概略的に断面図で示されている。このとき断面は、歯間ブラシ１の長手方向軸線を通って延びている。歯間ブラシ１は、ブラシ部分２とシャフト３とを含んでいる。ブラシ部分２は、歯間室をクリーニングするための剛毛領域６を有している。シャフト３は、ブラシ部分２と、ここでは図示されていないグリップ部分との間の結合部を形成している。
【００８２】
ブラシ部分２は、撚られたワイヤ製の剛毛ホルダ４と、撚られたワイヤの間に保持されている繊細な剛毛５とを含んでいる。剛毛ホルダ４の、剛毛のない第１の端部７の領域に、剛毛ホルダ４は剛毛５を有していない。第２の端部の、歯間室をクリーニングするために働く領域に、剛毛領域６は配置されている。歯間ブラシ１のシャフト３は、移行部分８と固定部分９とによって形成される。移行部分８は、移行部分８の第１の側から移行部分８の第２の側へと連続する開口１０を有している。このとき移行部分８の第１の側は、剛毛領域６に向けられており、これに対して移行部分８の第２の側は、固定部分９に接続している。剛毛ホルダ４の剛毛のない端部７は、移行部分８のこの開口１０を貫いて延びていて、かつ固定部分９において固定されている。すなわち移行部分８は、剛毛領域６と剛毛ホルダ４の剛毛のない端部７との間に配置されており、これに対して固定部分９は、シャフト３の剛毛のない端部を、かつこれによって歯間ブラシ１の終端部を形成している。この自由端部に固定部分９は、グリップ部分との歯間ブラシ１の固定のために、２つのアーム１２.１，１２.２を備えたトラバース（横軸部）１１の形態のロック要素を有している。ここでは図示されていないグリップ部分は、使用者の手によって把持することができ、この結果使用者は、歯間ブラシ１を、グリップ部分を用いて正確に歯の間に位置決めし、かつ運動させることができる。
【００８３】
トラバース１１は、シャフト３の自由端部の領域において固定部分９に位置していて、つまりシャフトの、斜面１４を備えた開口１０の入口とは別の端部に位置している。トラバース１１のアーム１２.１，１２.２は、互いに反対側に配置されていて、かつシャフト３の長手方向軸線に対して直角にシャフト３から突出している。アーム１２.１，１２.２は、ほぼ正方形の横断面を有している。グリップ部分は、上方に向かって開放した溝を有しており、このときそれぞれの溝は、トラバース１１のそれぞれ１つのアーム１２.１，１２.２を収容することができる。
【００８４】
歯間ブラシ１をグリップ部分において固定するために、アーム１２.１，１２.２はグリップ部分の溝内に位置決めされ、かつ次いで歯間ブラシ１はその長手方向軸線を中心にして回転させられる。これによってアーム１２.１，１２.２はさらに溝内に導入され、この結果歯間ブラシ１は、もはやその長手方向軸線の方向においてグリップ部分から離反運動され得なくなる。これによって歯間ブラシ１は、そのトラバース１１でバヨネット継手の形式でグリップ部分にロック可能である。
【００８５】
図２には、本発明に係る歯間ブラシ２００の別の構成が側面図で示されている。図１に示された第１の構成とは異なり、図２に示された構成では歯間ブラシ２００は、固定部分２０９の自由端部に環状溝２１５を有している。これによって歯間ブラシ２００のこの構成は、突出部を含むグリップ部分を必要としており、この突出部は、歯間ブラシ２００がグリップ部分内に挿入される場合に、溝２１５内に係合し、この結果歯間ブラシ２００は、グリップ部分において保持される。
【００８６】
以下においては、歯間ブラシ１の個々の要素について詳説する。
【００８７】
図１において認識できるように、剛毛５は剛毛ホルダ４の剛毛領域６に、撚られたワイヤの全周にわたって配置されており、この結果剛毛５は、撚られたワイヤからもしくは剛毛ホルダ４から、すべての方向において隙間なく突出している。このとき剛毛５は、剛毛ホルダ４の長手方向軸線に対して６０°〜８０°の角度を成して、撚られたワイヤから突出している。剛毛領域６と剛毛ホルダの剛毛のない端部７との間において、剛毛ホルダ４は剛毛のない領域１３を有している。これによって剛毛５と移行部分８の第１の側との間に間隔が形成される。
【００８８】
図２において見えるように、シャフト３は図示の構成では、移行部分８と固定部分９とから形成される。このとき移行部分８および固定部分９は、共に真円形の横断面を有している。さらに移行部分８と固定部分９とは、同じ外径を有している。移行部分８は、軟質のプラスチックからプラスチック射出成形によって製造されており、これに対して固定部分９は、移行部分に比べて硬質のプラスチックであって、軟質のプラスチックよりも大きな曲げ強さを有するプラスチックから、射出成形によって製造されている。このとき固定部分９は、移行部分８を覆うように射出成形（aufspritzen）されていて、この結果移行部分８と固定部分９とは、互いに解離不能に結合されていて、かつ一体に形成されている。
【００８９】
このとき剛毛ホルダ４の剛毛のない端部７は、固定部分９の射出成形により固定部分９内に埋め込まれている。剛毛ホルダ４が固定部分９から引き抜け（herausreissen）得ないようにするために、剛毛ホルダ４の、埋め込まれた剛毛のない端部７は、半円形状の成形部２０を有している。この成形部によって、剛毛のない端部７が剛毛ホルダ４の長手方向軸線を中心にして回転できず、かつ軸方向において移動できないことが保証されている。
【００９０】
固定部分９は、互いに反対側に位置している２つの羽根１９.１，１９.２を有していて、両羽根１９.１，１９.２は、シャフト３の長手方向において剛毛５の方向に固定部分９から進出している。羽根１９.１，１９.２は、半円形状を有している。しかしながらまた別の構成では、羽根１９.１，１９.２は別の形状を有することもできる。例えば羽根１９.１，１９.２は、図５および図６に示されているように、三角形に形成されていてよい。移行部分８は、２つの切欠きを有していて、両切欠きは、逆向きの形状を有していて、かつ両切欠き内にはそれぞれ１つの羽根１９.１，１９.２が収容され、この結果シャフト３の外輪郭はその全長にわたって円筒形の形状を維持している。固定部分９の羽根１９.１，１９.２によって、固定部分９と移行部分８との間における接触面が増大させられる。これによって固定部分９を、該固定部分９が移行部分８を覆うように射出成形される場合に、特に良好に固定部分９に結合させることができる。増大させられた接触面は、固定部分９が超音波溶接、振動溶接、オービタル溶接、またはミラー溶接を用いて、または接着によって移行部分８に結合される構成の場合に有利である。
【００９１】
このとき固定部分９は、着色プラスチック（例えば紫）から製造されており、これに対して移行部分８は、別の着色プラスチック（例えば黒）から製造されている。これによってコードが設けられており、このコードを用いて、使用者は剛毛の弾性および剛毛の長さを良好に認識することができる。しかしながらまた別の構成では、コード化を、レーザ彫刻、タンポ印刷、エンボス加工、または挿入プレートを用いて行うことも可能である。
【００９２】
図３および図４には、移行部分８がブラシ部分２なしに示されている。図３には、移行部分８が側面図で示されている。図４には、移行部分８が正面図で示されている。すなわち移行部分８は、図３に比べて９０°その長手方向軸線を中心にして回転させられて示されている。図３および図４において見える切欠き１８.１，１８.２内には、固定部分９の羽根１９.１，１９.２が収容される。
【００９３】
図３および図４においてさらに見えるように、移行部分８における開口１０は、貫通するように形成されている。開口は、真円形の横断面を有している。このとき開口１０の内径は、剛毛ホルダ４の外径よりも幾分大きく、この結果剛毛ホルダ４は開口内において運動することができる。移行部分８において開口１０は、移行部分８の第１の側に斜面１４を有している。このとき斜面１４は、開口１０の入口に向かって、もしくは移行部分８の第１の側に向かって大きくなる。これによって斜面１４は、図３および図４において見えるように、横断面において双曲線の形状を有している。
【００９４】
この斜面１４によって、図３および図４には示されていない剛毛ホルダ４は、移行部分８の第１の側における開口１０の入口に向かって、開口１０内において運動することができ、かつ屈曲することができる。これによって、運動不能にかつ不動に固定部分９内に埋め込まれている、剛毛ホルダ４の第１の端部７から、自由に可動の剛毛領域６への連続的な移行が達成される。
【００９５】
図５および図６には、移行部分１０８の別の構成がブラシ部分２なしに示されている。図３および図４における移行部分８とは異なり、図５および図６における構成は、三角形の切欠き１１８.１，１１８.２を有しており、これらの切欠き１１８.１，１１８.２内には、固定部分９の相応に三角形の羽根１９.１，１９.２を収容することができる。
【００９６】
図７および図８には、歯間ブラシのシャフト３０３の別の構成がブラシ部分２なしに示されている。このとき図７には、シャフト３０３が側面図で示されている。このときシャフト３０３の上側の領域は、断面図で示されており、このときこの領域における断面は、シャフト３０３の長手方向軸線を通って延びている。これによってシャフト３０３における開口３１０を良好に見ることができる。さらにシャフト３０３は、スペースの理由からその全長が示されていない。図８には、図７に示されたシャフトが平面図で示されている。
【００９７】
図７および図８に示されたシャフト３０３は、本発明に係る歯間ブラシの別の構成のために使用される。この構成は、図１および図２に示された構成とは製造において異なっている。図７および図８に示された歯間ブラシの構成では、固定部分３０９の製造時に、上に記載したように後で覆うように射出成形されるのではなく、移行部分３０８と一緒に前もって個々に製造されている。次いで剛毛ホルダ４の剛毛のない端部７が、シャフト３０３における開口３１０内に導入され、かつシャフト３０３内において接着される。しかしながら図面を見やすくするために、図７および図８においてはシャフト３０３だけが剛毛ホルダ４なしに示されている。
【００９８】
図７において見えるように、シャフト３０３における開口３１０は、移行部分３０８を貫いて延びていて、固定部分３０９において終端している。このとき開口３１０は、３つの内壁３１３.１，３１３.２，３１３.３によって形成され、かつ三角形の横断面を有しており、このとき三角形の横断面のすべての辺は、等しい長さである。開口３１０のこの形状は、図８においてよく見える。図面から認識できるように、開口３１０は、連続しておらず、かつほぼ長手方向においてシャフト３０３の真ん中に、終端部を有しており、この終端部は、シャフト３０３の長手方向軸線に対して直角に方向付けられている終端面によって形成される。さらに開口３１０は、その端部領域３１１に先細り部を有している。すなわち内壁３１３.１，３１３.２，３１３.３は、この端部領域３１１に向かって互いに延びている。
【００９９】
移行部分３０８において開口３１０は、移行部分３０８の、剛毛部分に向いている第１の側に、斜面３１４を有している。このとき斜面３１４は、第１の斜面部分３１５.１，３１５.２，３１５.３を有しており、これらの斜面部分３１５.１，３１５.２，３１５.３は、通常の真円形でかつ円錐形の斜面フライス工具を用いた面取り（Anfasen）によって製造されている。さらに斜面３１４は、第２の斜面部分３１６.１，３１６.２，３１６.３を含んでおり、これらの斜面部分３１６.１，３１６.２，３１６.３は、３つの内壁３１３.１，３１３.２，３１３.３の面取りによって製造されている。すなわち３つの内壁３１３.１，３１３.２，３１３.３は、移行部分３０８の第１の側の方向において、それぞれ第２の斜面部分３１６.１，３１６.２，３１６.３のうちの１つの斜面部分３１６.１，３１６.２，３１６.３へと移行している。このとき第１の斜面部分３１５.１，３１５.２，３１５.３は、シャフト３０３の長手方向軸線に対して２０°〜３０°の角度を有しており、かつ第２の斜面部分３１６.１，３１６.２，３１６.３は、シャフト３０３の長手方向軸線に対して３０°未満の角度で方向付けられている。
【０１００】
図７において見えるように、固定部分３０９はその自由端部に、幾分小さな外径を備えた端部領域を有しており、この結果固定部分３０９には、段部３１７が形成される。さらに固定部分３０９は、比較的小さな外径を備えたこの端部領域に、環状溝３１９を有している。さらにこの端部領域において固定部分３０９は、固定部分３０９の長手方向において切断されており、この結果固定部分３０９は、固定部分３０９の長手方向軸線に平行に方向付けられた面３１８を有している。さらに固定部分３０９の端部において固定部分３０９は、面取りされており、この結果固定部分３０９を、図示されていないグリップ部分における開口内に比較的簡単に導入することができる。シャフト３０３が挿入されるグリップ部分は、相応の対応形状を有しており、この結果シャフト３０３がグリップ部分に結合されている場合に、面３１８はグリップ部分における面に接触している。さらにグリップ部分は、固定部分３０９の溝３１９内に係合する張出し部（Auskragung）を有しており、これによって、シャフト３０３がグリップ部分に挿入されている場合に、シャフト３０３を保持することができる。
【０１０１】
図９には、歯間ブラシ４００.１〜４００.５を備えた詰め合わせが概略的にかつ簡単に示されている。詰め合わせは例えば、異なった硬度および形状を備えたそれぞれの剛毛を含む５つの歯間ブラシ４００.１〜４００.５を含んでいる。歯間ブラシ４００.１〜４００.５を使用者のために区別可能にするために、それぞれのシャフトは別のコードを有している。そのために好ましくはそれぞれ移行部分４０８.１〜４０８.５は、固定部分４０９.１〜４０９.５とは別の色を有している。このとき固定部分４０９.１〜４０９.５の色は、好ましくは剛毛の弾性のためであり、かつ移行部分４０８.１〜４０８.５の色は、好ましくは剛毛の形状または長さのためである。別の構成では、コード化はまたシャフトの形状を用いて行うこともできる。例えばそれぞれの固定部分４０９.１〜４０９.５またはそれぞれの移行部分４０８.１〜４０８.５は、例えば方形、三角形、または円形のような別の横断面を有していてもよい。固定部分４０９.１〜４０９.５および移行部分４０８.１〜４０８.５の横断面の確定された組合せによって、同様に歯間ブラシ４００.１〜４００.５の個々の特徴付けを可能にすることができる。
【０１０２】
図１０には、歯間ブラシ５００.１〜５００.５を備えた詰め合わせの別の構成が示されている。図９における詰め合わせとは異なり、図１０に示された歯間ブラシ５００.１〜５００.５はシャフトにそれぞれ１つの溝を有しており、この溝には、歯間ブラシ５００.１〜５００.５がそれぞれグリップ部分に保持される場合に、グリップ部分の張出し部が係合する。
【０１０３】
図１１には、歯間ブラシ６００.１〜６００.６を備えた詰め合わせのさらに別の構成が示されている。これらの歯間ブラシ６００.１〜６００.６は、球形の、平行四辺形に類似の、または三角形の外輪郭を有する剛毛ヘッドを有している。
【０１０４】
このとき図９〜図１１における配置形態は、図示の組合せに制限されるものではない。例えば図１１に示された歯間ブラシ６００.１〜６００.６または図１０に示された歯間ブラシ５００.１〜５００.５も、歯間ブラシ４００.１〜４００.５のようにグリップ部分に結合するためのトラバースを有することができる。さらに図示されたすべての歯間ブラシ４００.１〜４００.５，５００.１〜５００.５，６００.１〜６００.６の任意の組合せが、１つの詰め合わせに配置されていてよい。
【０１０５】
本発明は、歯間ブラシのここに記載された構成に制限されるものではない。例えば歯間ブラシのシャフトは、方形または多角形の横断面を有する開口を有していてもよい。さらに移行部分における斜面は、別の形に成形されていてもよい。さらに、移行部分および／または固定部分が円筒形の横断面ではなく、例えば方形または多角形の横断面を有することが可能である。さらに歯間ブラシは、必ずしもロック要素を有する必要がなく、歯間ブラシがロック要素を含んでいる場合には、ロック要素は、上に記載されたようにトラバースとして、または溝の形態で形成されている必要がない。またブラシ部分も別の形態で形成されていてよい。例えば剛毛ホルダは、プラスチックから製造されていてよい。
【０１０６】
まとめると、シャフト内における剛毛ホルダの改善された収容部を有していて、かつ簡単に製造可能なシャフトを含んでいる、歯間ブラシが得られるということを確認することができる。
【図１】
2020531154.tif 000003
【図２】
2020531154.tif 000004
【図３】
2020531154.tif 000005
【図４】
2020531154.tif 000006
【図５】
2020531154.tif 000007
【図６】
2020531154.tif 000008
【図７】
2020531154.tif 000009
【図８】
2020531154.tif 000010
【図９】
2020531154.tif 000011
【図１０】
2020531154.tif 000012
【図１１】
2020531154.tif 000013
【国際調査報告】
2020531154.tif 000014
2020531154.tif 000015
2020531154.tif 000016
2020531154.tif 000017